(57)【要約】      （修正有）【課題】透光性部材上へのゴミや異物の侵入を防ぎ、撮像不良を軽減することのできる固体撮像装置を提供する。【解決手段】カメラモジュール１００は、レンズ２１、レンズを保持するレンズパレル２２、および、レンズパレルを保持するレンズホルダ２３を有するレンズユニット２と、配線基板、配線基板上に実装された固体撮像素子、および、固体撮像素子の受光部を覆い受光部との間に間隔を有する透光性部材１３が配置されるように開口が形成され、透光性部材１３の全周囲を包囲するセンサカバー３ａとを備えている。【選択図】図１
2010010909.tif 000002
【特許請求の範囲】
【請求項１】
レンズ、レンズを保持するレンズバレル、および、レンズバレルを保持するレンズホルダを有し、被写体像を形成するレンズユニットと、
配線基板、配線基板上に実装された固体撮像素子、および、固体撮像素子の受光部を覆い、受光部との間に間隔を有して設けられた透光性部材を有し、固体撮像素子が封止樹脂によって配線基板上に封止された撮像ユニットとを備えた固体撮像装置であって、
封止樹脂上に、センサカバーをさらに備えており、
センサカバーは、内部に透光性部材が配置されるように開口が形成されており、透光性部材の全周囲を包囲していることを特徴とする固体撮像装置。
【請求項２】
センサカバーの側面が、光軸に対して平行に延びていることを特徴とする請求項１に記載の固体撮像装置。
【請求項３】
センサカバーの天面が、平坦であり、
センサカバーの天面が、レンズバレルとレンズホルダとの接触部の直下に配置されていることを特徴とする請求項２に記載の固体撮像装置。
【請求項４】
センサーカバーの側面が、封止樹脂からレンズの方向に向かうにつれて、光軸に近づくように傾斜していることを特徴とする請求項１に記載の固体撮像装置。
【請求項５】
センサカバーの側面の少なくとも一部が、レンズバレルとレンズホルダとの接触部よりも内側に配置されていることを特徴とする請求項４に記載の固体撮像装置。
【請求項６】
センサーカバーが、遮光性を有することを特徴とする請求項１〜５のいずれか１項に記載の固体撮像装置。
【請求項７】
センサーカバーの表面に、粘着材が塗布されていることを特徴とする請求項１〜６のいずれか１項に記載の固体撮像装置。
【請求項８】
請求項１〜７のいずれか１項に記載の固体撮像装置を備えた電子機器。
【発明の詳細な説明】
【技術分野】
【０００１】
本発明は、透光性部材上へのゴミや異物の侵入を防ぎ、撮像不良を軽減することのできる固体撮像装置およびその固体撮像装置を備えた電子機器に関するものである。
【背景技術】
【０００２】
カメラ付き携帯電話機や携帯情報端末などの各種電子機器は、カメラモジュール（固体撮像装置）を備えている。昨今では、カメラモジュールの小型化に対応するため、製造プロセスの微細化が進んでいる。カメラモジュールの小型化が進むと、光路上に存在する微小なゴミによって、撮像不良が起こる。撮像不良は、例えば、光路上のゴミの影が、黒色の点やシミとして撮像画面に写し出されることである。
【０００３】
特許文献１には、このような撮像不良の原因となるゴミ対策を施したカメラモジュールが開示されている。図７は、特許文献１のカメラモジュールの断面図である。
【０００４】
図７のように、カメラモジュール２００は、固体撮像素子２１２とレンズ２２１との間に設けられたＩＲカットフィルタ２１３の周辺部に、突起形状のダム材２１３Ａが形成されている。そして、このダム材２１３Ａによって、レンズホルダ２３３にレンズバレル２２２を組み込む際などに、レンズホルダ２２３とレンズバレル２２２とが接触して生じるゴミが、ＩＲカットフィルタ２１３上に移動するのを防止している。
【特許文献１】特開２００７−６０２８８号公報（２００７年３月８日公開）
【発明の開示】
【発明が解決しようとする課題】
【０００５】
しかしながら、特許文献１の構成では、ＩＲカットフィルタ２１３上に侵入するゴミ対策が不十分であるため、依然として撮像不良が生じやすいという問題がある。
【０００６】
具体的には、特許文献１では、ＩＲカットフィルタ２１３がベース２１４の開口部に固着されている。しかし、ベース２１４とレンズバレル２２２との間には、わずかなスペースしか存在しない。このため、ＩＲカットフィルタ２１３上へのゴミの侵入を確実に防ぐに充分なダム材２１４Ａを形成することができない。その結果、ＩＲカットフィルタ２１３上にゴミが侵入しやすく、撮像不良が起こりやすい。
【０００７】
そこで、本発明は、上記の課題に鑑みてなされたものであり、その目的は、透光性部材上へのゴミや異物の侵入を防ぎ、撮像不良を軽減することのできる固体撮像装置とその固体撮像装置を備えた電子機器を提供することにある。
【課題を解決するための手段】
【０００８】
本発明の固体撮像装置は、上記の課題を解決するために、レンズ、レンズを保持するレンズホルダ、および、レンズホルダを保持するレンズバレルを有し、被写体像を形成するレンズユニットと、
配線基板、配線基板上に実装された固体撮像素子、および、固体撮像素子の受光部を覆い、受光部との間に間隔を有して設けられた透光性部材を有し、固体撮像素子が封止樹脂によって配線基板上に封止された撮像ユニットとを備えた固体撮像装置であって、
封止樹脂上に、センサカバーをさらに備えており、
センサカバーは、内部に透光性部材が配置されるように開口が形成されており、透光性部材の全周囲を包囲していることを特徴としている。
【０００９】
本発明の固体撮像装置では、レンズバレルとレンズホルダとの接触によりゴミが生じたり、レンズバレルとレンズホルダとの隙間を異物が移動して、封止樹脂上に落下する。そして、そのゴミや異物が、封止樹脂上を移動して、透光性部材上に付着する場合がある。その結果、透光性部材上に付着したゴミや異物が光路を遮り、撮像不良が生じる。本発明の固体撮像装置では、透光性部材と固体撮像素子とが近接して配置されているため、このような撮像不良が特に生じやすい。
【００１０】
上記の構成によれば、封止樹脂上に形成されたセンサカバーが、透光性部材の全周囲を包囲している。このため、封止樹脂上にゴミや異物が落下して封止樹脂上を移動したとしても、センサカバーによってそのゴミや異物が透光性部材上に侵入するのを防ぐことができる。従って、透光性部材上に付着したゴミや異物が原因となる撮像不良を低減することができる。
【００１１】
また、上記の構成によれば、透光性部材が、固体撮像素子１２上に設けられているため、透光性部材とレンズユニットとの間には、比較的広いスペースが形成される。そして、このスペースを利用して、封止樹脂上にセンサカバーが設けられている。このため、センサカバーによって、透光性部材上へのゴミや異物の侵入を、確実に防ぐことができる。
【００１２】
なお、センサカバーには、開口が形成されており、この開口内に透光性部材が配置されている。このため、光路は確保されている。
【００１３】
本発明の固体撮像装置では、センサカバーの側面が、光軸に対して平行に延びていることが好ましい。
【００１４】
上記の構成によれば、センサカバーの側面が光軸に対して平行に延びているため、透光性部材の周囲には、光軸に対して垂直にそびえ立つ壁部が形成される。従って、その壁部によって、透光性部材上へのゴミや異物の侵入を、確実に防ぐことができる。
【００１５】
本発明の固体撮像装置では、センサカバーの天面が、平坦であり、
センサカバーの天面が、レンズバレルとレンズホルダとの接触部の直下に配置されていることが好ましい。
【００１６】
上記の構成によれば、センサカバーの天面が、レンズバレルとレンズホルダとの接触部の直下に配置されている。これにより、レンズバレルとレンズホルダとの接触により生じたゴミや、レンズバレルとレンズホルダとの隙間を移動した異物は、センサカバーの天面に落下する。しかも、センサカバーの天面は平坦であるため、天面に落下したゴミや異物を、天面に保持することができる。従って、透光性部材上へのゴミや異物の侵入を、確実に防ぐことができる。
【００１７】
本発明の固体撮像装置では、センサーカバーの側面が、封止樹脂からレンズの方向に向かうにつれて、光軸に近づくように傾斜していることが好ましい。
【００１８】
上記の構成によれば、センサカバーの側面が、光軸に対して傾斜している。具体的には、光の進行方向にしたがい、センサカバーの側面が、光軸から離れるように傾斜している。これにより、透光性部材の周囲には、錘状の壁部が形成される。従って、透光性部材上へのゴミや異物の侵入を、確実に防ぐことができる。
【００１９】
本発明の固体撮像装置では、センサカバーの側面の少なくとも一部が、レンズバレルとレンズホルダとの接触部よりも内側に配置されていることが好ましい。
【００２０】
上記の構成によれば、透光性部材の周囲には、センサカバーの側面によって、光軸に対して傾斜した壁部が形成される。このため、センサカバーの側面に落下したゴミや異物は、その側面に沿って移動する。これにより、透光性部材の外部（封止樹脂の外側）へ、ゴミや異物を排除することができる。従って、透光性部材上へのゴミや異物の侵入を、確実に防ぐことができる。
【００２１】
本発明の固体撮像装置では、センサーカバーが、遮光性を有することが好ましい。
【００２２】
上記の構成によれば、センサカバーが遮光性を有する材料から構成されている。これにより、レンズバレルとレンズホルダとの隙間から、透光性部材を介して固体撮像素子に入り込む撮像に不要な光を、センサカバーによって遮ることができる。
【００２３】
本発明の固体撮像装置では、センサーカバーの表面に、粘着材が塗布されていることが好ましい。
【００２４】
上記の発明によれば、センサーカバーの表面に、粘着材が塗布されている。これにより、センサーカバーに落下したゴミを、粘着材に付着させることができる。このため、センサーカバーに、確実にゴミを溜めることができる。従って、ゴミによる撮像不良を、長期的に防止することができる。
【００２５】
本発明の電子機器は、上記の課題を解決するために、前記いずれかの固体撮像装置を備えていることを特徴としている。従って、光路内へのゴミの侵入を防ぎ、撮像不良を軽減することのできる電子機器を提供することができる。
【発明の効果】
【００２６】
本発明の固体撮像装置は、以上のように、内部に透光性部材が配置されるように開口が形成されており、透光性部材の全周囲を包囲するセンサカバーを備えた構成である。これにより、センサカバーによってゴミや異物が透光性部材上に侵入するのを防ぐことができる。従って、透光性部材上に付着したゴミや異物が原因となる撮像不良を低減することができるという効果を奏する。
【発明を実施するための最良の形態】
【００２７】
以下、本発明の実施の形態について、図１〜図６に基づいて説明する。
【００２８】
本発明の固体撮像装置は、透光性部材上へのゴミの落下を防ぐことによって、そのゴミが原因となる撮像不良を低減することを特徴とする。
【００２９】
本発明の固体撮像装置は、カメラ付き携帯電話，ディジタルスチルカメラ，セキュリティカメラなどの撮影可能な電子機器に好適である。本実施形態では、カメラ付き携帯電話機に適用されるカメラモジュールについて説明する。
【００３０】
〔実施の形態１〕
図１は、実施の形態１のカメラモジュール１００の断面図である。図１のように、カメラモジュール１００は、撮像ユニット１上に、レンズユニット２およびセンサカバー３が実装された構成である。
【００３１】
具体的には、撮像ユニット１は、配線基板１１，固体撮像素子１２，透光性部材１３，ワイヤ１４，および、封止樹脂１５から構成されている。固体撮像素子１２は、配線基板１１２上に実装されている。配線基板１１と固体撮像素子１２とは、ワイヤ１４によって、互いに電気的に接続されている。
【００３２】
より詳細には、配線基板１１は、固体撮像素子１２の電気信号を取り出すものであり、図示しないパターニングされた配線を有する基板である。配線基板１１は、この配線によって、固体撮像素子１２と、電気的に接続される。具体的には、本実施形態では、配線基板１１と固体撮像素子１２とが、ワイヤ１４によって接続されている。これにより、配線基板１１と固体撮像素子１２とが、互いに電気信号を送受可能となっている。配線基板１１は、例えば、プリント基板，ガラスエポキシ基板、またはセラミック基板などである。なお、配線基板１１は、外部装置と電気的に接続することが可能となっている。
【００３３】
固体撮像素子１２は、配線基板１１の中央部に配置されており、半導体回路が形成された半導体基板（例えばシリコン単結晶基板）が平面視矩形形状に形成されたものである。固体撮像素子１２は、例えば、ＣＣＤ（charge-coupled device）イメージセンサ、ＣＭＯＳ（complementary metal-oxide semiconductor）イメージセンサ、ＶＭＩＳイメージセンサ（Threshold Voltage Modulation Image Sensor）である。固体撮像素子１２は、レンズユニット２が形成する被写体像を電気信号に変換するものである。つまり、レンズユニット２から入射された入射光を光電変換するセンサーデバイスである。
【００３４】
固体撮像素子１２の表面（上面）には、複数の画素がマトリクス状に配置された受光部（図示せず）が形成されている。この受光部は、固体撮像素子１２における有効画素領域（撮像面）である。そして、固体撮像素子１２は、受光部に結像された被写体像（透光性部材１３を透過した光）を、電気信号に変換して、アナログの画像信号として出力する。
【００３５】
透光性部材１３は、固体撮像素子１２上に設けられている。具体的には、透光性部材１３は、固体撮像素子１２の受光部を覆い、受光部との間に間隔を有して設けられている。透光性部材１３は、透光性を有するガラスや樹脂などの透光性部材から構成されている。なお、透光性部材１３には、固体撮像素子１２に入射する赤外線をカットする赤外線カットフィルタ等の光学フィルタが形成されていてもよい。これにより、透光性部材１３が、外部からの赤外線を遮断する機能を備えるようになる。
【００３６】
なお、透光性部材１３は、固体撮像素子１２受光部の周囲に形成された接着部（図示せず）により、固体撮像素子１２上に接着される。透光性部材１３は、受光部との間に、間隔（隙間・空隙）が形成されるように設けられている。このため、固体撮像素子１２と透光性部材１３とは、互いに接触しない。接着部は、受光部の周囲全域に形成されているため、この間隔は、ほぼ密閉空間となる。なお、接着部は、例えば、シート状の接着剤を貼着し、フォトリソグラフィ技術で露光及び現像等の処理をすることにより、パターンニングされて形成される。フォトリソグラフィ技術を用いれば、接着部のパターンニングを高精度に行うことができる。また、シート状の接着剤を用いれば、接着部の厚さを均一にすることができる。これにより、透光性部材１３を受光部に対して高精度に接着することができる。
【００３７】
本実施形態のカメラモジュール１００では、固体撮像素子１２が、モールド樹脂（封止樹脂）１５により。配線基板１１上に封止されている。モールド樹脂１５は、ワイヤ１４も封止している。すなわち、カメラモジュール１００は、いわゆるＣＳＰ（Chip Scale Package）構造である。また、このため、カメラモジュール１００は、超小型化、超薄型化に適した構成となっている。
【００３８】
なお、モールド樹脂１５による封入は、カメラモジュール１００の光透過領域以外の領域に対して行われている。従って、透光性部材１３の表面は、モールド樹脂１５に覆われていない。このため、透光性部材１３から固体撮像素子１２への光路は確保される。
【００３９】
なお、配線基板１１上には、図示しないが、カメラモジュール１００を駆動するための各種電子部品（図示せず）が搭載されていてもよい。例えば、固体撮像素子１２の受光素子により変換された電気信号を増幅処理し、その電気信号をアナログ信号として出力する増幅回路部（アナログ信号回路部）、そのアナログ信号をデジタル信号に変換するアナログ／デジタル変換処理回路部、プログラムに従って各種演算処理を行うＣＰＵ，そのプログラムを格納するＲＯＭ，各処理過程のデータ等を格納するＲＡＭなどの電子部品を備えている。これらによって、カメラモジュール１００全体が制御される。
【００４０】
レンズユニット２は、被写体像を形成する撮影光学系である。つまり、レンズユニット２は、被写体からの光を、固体撮像素子１２に結像するための光学系である。レンズユニット２は、レンズ２１と、レンズ２１を中央部に保持するレンズバレル（鏡筒）２２と、レンズバレル２２を内部に保持するレンズホルダ２３とから構成されている。レンズバレル２２およびレンズホルダ２３は、いずれも中空の筒状の部材である。レンズホルダ２３は、接着剤（図示せず）により、封止樹脂１５上に固着されている。
【００４１】
また、レンズバレル２２とレンズホルダ２３との互いの接触面は、ねじ構造となっている。つまり、レンズバレル２２の外側面と、レンズホルダ２３の内側面とには、それぞれねじ山がつけられている。これにより、レンズホルダ２３の外側面に沿って、レンズバレル２２を光軸方向に移動されることができる。つまり、レンズバレル２２を回転させることにより、ピントを合わせることができる。
【００４２】
なお、レンズ２１，レンズバレル２２，レンズホルダ２３は、いずれも、例えば、樹脂製とすることができる。レンズ２１の光軸は、レンズバレル２２およびレンズホルダ２３の中心軸と一致している。
【００４３】
センサカバー３ａは、透光性部材１３上へのゴミや異物の侵入を防ぐためのものである。センサカバー３ａは、モールド樹脂１５上に固定されており、レンズホルダ２３内に収容されている。センサカバー３ａについては後述する。
【００４４】
このようなカメラモジュール１００は、レンズユニット２を介して取り込まれた外部からの光を、透光性部材１３を介して固体撮像素子１２の内部に取り込み、固体撮像素子１２の受光部に配置された受光素子によりイメージ画像を受光する。
【００４５】
ここで、カメラモジュール１００の特徴部分について説明する。カメラモジュール１００では、レンズバレル２２とレンズホルダ２３との接触によりゴミが生じたり、レンズバレル２２とレンズホルダ２３の隙間を異物が移動して、透光性部材１３上に落下する可能性がある。透光性部材１３上にゴミや異物が存在すると、それらの影が黒色の点や撮像画面に写し出される。これにより、撮像不良が起こる。
【００４６】
具体的には、カメラモジュール１００を組み立てる際には、ピントを合わせるため、レンズバレル２２を上下動させてレンズ２１の位置を調整する必要がある。しかし、レンズバレル２２を移動させると、レンズバレル２２とレンズホルダ２３との摩擦によって、微細なゴミが発生する場合がある。また、レンズバレル２２とレンズホルダ２３との隙間を異物が移動する場合もある。このようなゴミや異物は、透光性部材１３上に付着する可能性がある。透光性部材１３上に付着したゴミや異物は、固体撮像素子１２上に影を落とし、出力画像に黒色の点やシミとして映し出されてしまい、カメラモジュール１００の歩留まりの低下および信頼性の低下につながる。このように、透光性部材１３上のゴミは、撮像不良の原因となる。
【００４７】
そこで、カメラモジュール１００は、撮像不良の対策として、モールド樹脂１５上に、センサカバー３ａを備えている。そして、センサカバー３ａによって、透光性部材１３上へのゴミや異物の侵入を防止している。
【００４８】
図２は、図１の撮像ユニット１およびセンサカバー３ａの斜視図である。図２のように、センサカバー３ａは、中央部に開口３０が形成されている。そして、この開口３０内に、透光性部材１３が配置される。つまり、透光性部材１３の全周囲が、センサカバー３ａによって包囲される。
【００４９】
このため、モールド樹脂１５上にゴミや異物が落下してモールド樹脂１５上を移動したとしても、センサカバー３ａによってそのゴミや異物が透光性部材１３上に侵入するのを防ぐことができる。従って、透光性部材１３上に付着したゴミや異物が原因となる撮像不良を低減することができる。
【００５０】
しかも、図２のように、センサカバー３ａの側面は、図中一点鎖線で示す光軸に対して平行に延びている。このため、透光性部材１３の周囲には、センサカバー３ａの側面によって、壁部（側壁）が形成される。従って、センサカバー３ａの側面によって、透光性部材１３上へのゴミや異物の侵入を、確実に防ぐことができる。
【００５１】
さらに、図２のように、センサカバー３ａの天面３１が、平坦である。しかも、図１のように、この天面３１が、レンズバレル２２とレンズホルダ２３との接触部の直下に配置されている。これにより、レンズバレル２２とレンズホルダ２３の接触により生じたゴミや、レンズバレル２２とレンズホルダ２３との隙間を移動した異物は、センサカバー３ａの平坦な天面３１に落下する。このため、天面３１に落下したゴミや異物を、天面３１に保持することができる。従って、透光性部材１３上へのゴミや異物の侵入を、確実に防ぐことができる。
【００５２】
また、図２のセンサカバー３ａは、底部３３が側面３２よりも外側に延在している。つまり、センサカバー３ａは、フランジ構造となっている。これにより、センサカバー３ａの底面の面積を広くすることができる。従って、モールド樹脂１５上にセンサカバー３ａを確実に固着することができる。
【００５３】
なお、カメラモジュール１００では、図１のように、透光性部材１３が、固体撮像素子１２上に設けられているため、透光性部材１３とレンズユニット２（レンズバレル２２）との間には、比較的広いスペースが形成される。そして、このスペースを利用して、モールド樹脂１５上にセンサカバー３ａが設けられている。このため、センサカバー３ａによって、透光性部材１３上へのゴミや異物の侵入を、確実に防ぐことができる。
【００５４】
センサカバー３ａの形状は、図２に示す形状に限定されるものではなく、例えば、以下のような構成とすることもできる。図３は、別のセンサカバー３ｂを備えたカメラモジュール１０１の断面図である。図４は、図３のカメラモジュール１０１における撮像ユニット１およびセンサカバー３ｂを示す斜視図である。図５は、別のセンサカバー３ｂを備えたカメラモジュール１０２の断面図である。図６は、図５のカメラモジュール１０１における撮像ユニット１およびセンサカバー３ｂを示す斜視図である。
【００５５】
図３のように、カメラモジュール１０１でも、センサカバー３ｂが、センサカバー３ａと同様に、撮像ユニット１上（モールド樹脂１５上）に設けられている。ただし、センサカバー３ｂの側面は、一点鎖線で示す光軸に対して傾斜している。
【００５６】
具体的には、図４のように、センサカバー３ｂの側面３２は、モールド樹脂１５からレンズ２１の方向に向かうにつれて、光軸に近づくように傾斜している。具体的には、光の進行方向にしたがい、センサカバー３ｂの側面３２が、光軸から離れるように傾斜している。センサカバー３ｂに形成された開口３０は円形であるため、センサカバー３ｂの形状は、円錐台形状である。これにより、透光性部材１３の周囲には、センサカバー３ｂの側面３２によって、錘状の壁部が形成される。従って、透光性部材１３上へのゴミや異物の侵入を、確実に防ぐことができる。
【００５７】
しかも、センサカバー３ｂでは、側面３２の少なくとも一部が、レンズバレル２２とレンズホルダ２３との接触部よりも内側に配置されている。つまり、側面３２が、レンズバレル２２とレンズホルダ２３との接触部の直下に配置されている。これにより、透光性部材１３の周囲には、センサカバー３ｂの側面３２によって、光軸に対して傾斜した壁部が形成される。このため、センサカバー３ｂの側面３２に落下したゴミや異物は、その側面３２に沿って移動する。これにより、透光性部材１３の外部へ（モールド樹脂１５の外側へ）、ゴミや異物を排除することができる。従って、透光性部材１３上へのゴミや異物の侵入を、確実に防ぐことができる。
【００５８】
また、図５のように、カメラモジュール１０２でも、センサカバー３ｃが、センサカバー３ａと同様に、撮像ユニット１上（モールド樹脂１５上）に設けられている。ただし、センサカバー３ｃの内側面３４は、天面３１よりも高くなっている。このため、この内側面３４が壁となって、天面３１に落下したゴミや異物が、振動や衝撃によって透光性部材１３へ移動するのを防ぐことができる。従って、透光性部材１３上へのゴミや異物の侵入を、確実に防ぐことができる。
【００５９】
このような、センサカバー３ａ〜３ｃは、遮光性を有することが好ましい。このように、センサカバー３ａ〜３ｃが遮光性を有する材料から構成されていると、レンズバレルとレンズホルダとの隙間から、透光性部材１３を介して固体撮像素子１２に入り込む撮像に不要な光を、センサカバー３ａ〜３ｃによって遮ることができる。
【００６０】
また、センサカバー３ａ〜３ｃの表面には、図示しない粘着材が塗布されていてもよい。例えば、センサカバー３ａ〜３ｃにおけるゴミや異物を保持する部分に、粘着材が塗布されていてもよい。これにより、センサーカバー３ａ〜３ｃに落下したゴミを、粘着材に付着させることができる。このため、センサーカバー３ａ〜３ｃに、確実にゴミを溜めることができる。従って、ゴミによる撮像不良を、長期的に防止することができる。
【００６１】
粘着材は、特に限定されるものではないが、例えば、半固体状（または固体に近い状態）の油脂や樹脂を適用することができる。例えば、グリースが好適である。グリースは、半固体状または液体に近い、油脂の一種であり、例えば、半固体状（または固体に近い状態）、または、ペースト状の潤滑剤から構成することができる。グリースは、例えば、二硫化モリブデン系潤滑剤，白色系潤滑剤，シリコーン系潤滑剤，パーフルオロポリエーテル系潤滑剤などを用いることができる。また、グリースは、鉱油を主成分とする鉱油系グリース，ポリα−オレフィン油を主成分とするポリα−オレフィン系グリース，シリコーンオイルを主成分とするシリコーン系グリース，フルオロシリコーン系グリース，パーフルオロポリエーテルを主成分とするパーフルオロポリエーテル系グリースなどを用いることができる。これらのグリースは、単独または２種以上を混合して用いることができる。また、グリースは、例えば、リチウム石鹸，カルシウム石鹸，ポリテトラフルオロエチレン（ＰＴＦＥ）など、グリース用の添加物を含むものであってもよい。
【００６２】
粘着材の塗布量は、ゴミを付着させることができる程度であればよく、特に限定されるものではない。また、粘着材の塗布量は、粘着材の特性に応じて設定すればよい。また、ゴミが発生しやすい部分には、粘着材を多めに塗布すればよい。
【００６３】
なお、粘着材としてグリースを用いると、以下のような効果もある。
（ａ）グリースは、ゴミを付着させるだけではなく、グリースの塗布前に塗布位置に付着しているゴミをコーティングすること（塗りこむこと）ができる。
（ｂ）グリースは、流動性を有するため、塗布位置に浸透させやすい。
（ｃ）グリースは、特性（例えば、耐熱性，耐候性などの物性）の劣化が少ない。
（ｄ）無毒である。
（ｅ）グリースの組成を変えることによって、容易にグリースの特性を変更すること（例えば、粘度調整）が可能である。
（ｆ）メンテナンスが不要である。
【００６４】
なお、本発明は、以下のように表現することもできる。
【００６５】
〔１〕撮像用レンズと、筒状のレンズバレルと、レンズホルダと、赤外光をカットするフィルタガラス（透光性部材）と、撮像素子（固体撮像素子）と、基板（配線基板）と、モールド樹脂とを有し、前記撮像用レンズは、前記レンズバレルの内部に保持され、前記レンズバレルは前記レンズホルダとねじ構造によって嵌合したレンズユニットを構成し、
前記フィルタガラスは、前記撮像素子上に固定され、前記撮像素子は前記基板と電気的に接続されており、さらに前記撮像素子はその受光部となる前記フィルタガラス部を除いてモールド樹脂によって封止されており、前記レンズユニットは、前記モールド樹脂上に撮像素子を覆うように固定されている固体撮像装置において、センサーカバーを有し、前記センサーカバーは前記撮像素子上に固定された前記フィルタガラスを覆うように前記モールド樹脂上に固定されていることを特徴とする固体撮像装置。
【００６６】
上記の構成によれば、フォーカス調整の際にレンズバレルとレンズバレルホルダとの嵌合部から発生したゴミは、センサーカバー上に落下する。このため、フィルタガラス上へのゴミの落下を防止できる。
【００６７】
〔２〕前記センサーカバーは、中心部が入射光を遮らないように開口しており、開口部端から前記センサーカバーの外周に向けて下方に一定の角度の円錐状の側壁が設けてあり、前期円錐状の側壁の最下部から前記センサーカバーの外周にかけて平坦部が設けられているような立体的な形状を有することを特徴とする上記〔１〕に記載の固体撮像装置。
【００６８】
上記の構成によれば、センサーカバー上に落下したゴミは、傾斜部の外側へ落下するため、フィルタガラス上への落下をより防止することができる。
〔３〕センサーカバーの開口端が、レンズホルダとレンズユニットの嵌合部より内側に配置されていることを特徴とする上記〔２〕に記載の固体撮像装置。
【００６９】
上記の構成によれば、センサーカバーの開口端が、レンズバレルとレンズバレルホルダの嵌合部より内側にある。このため、センサカバーに落下したゴミのほとんどが、センサーカバーの傾斜部をつたって外側へ落下する。従って、ゴミによるシミ不良をさらに大幅に低減することができる。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７１】
本発明は、カメラ付き携帯電話、ディジタルスチルカメラ、監視やドアホンなどのセキュリティ用カメラなど、固体撮像装置を備えた各種撮像装置に適用することができる。
【図面の簡単な説明】
【００７２】
【図１】本発明のカメラモジュールの断面図である。
【図２】図１のカメラモジュールにおける撮像ユニットおよびセンサカバーの斜視図である。
【図３】本発明の別のカメラモジュールの断面図である。である。
【図４】図３のカメラモジュールにおける撮像ユニットおよびセンサカバーの斜視図である。
【図５】本発明の別のカメラモジュールの断面図である。である。
【図６】図５のカメラモジュールにおける撮像ユニットおよびセンサカバーの斜視図である。
【図７】特許文献１のカメラモジュールの断面図である。
【符号の説明】
【００７３】
１  撮像ユニット
２  レンズユニット
３  センサカバー
３ａ  センサカバー
３ｂ  センサカバー
３ｃ  センサカバー
１１  配線基板
１２  固体撮像素子
１３  透光性部材
１５  モールド樹脂（封止樹脂）
２１  レンズ
２２  レンズバレル
２３  レンズホルダ
３０  開口
３１  天面
３２  側面
３３  底部
３４  内側面
１００  カメラモジュール（固体撮像装置）
１０１  カメラモジュール（固体撮像装置）
１０２  カメラモジュール（固体撮像装置）
【図１】
2010010909.tif 000003
【図２】
2010010909.tif 000004
【図３】
2010010909.tif 000005
【図４】
2010010909.tif 000006
【図５】
2010010909.tif 000007
【図６】
2010010909.tif 000008
【図７】
2010010909.tif 000009